(57)【要約】【課題】堰堤の上流側に、前記堰堤とは切り離した構造で、かつ、隣接した流木捕捉体（の基礎同士）も切り離した構造で実施することにより、使用するコンクリート量を抑制でき、対策の必要な箇所に最適な配置で設置できる、施工性、経済性、及び自在性に優れた流木捕捉体および流木捕捉体の構築工法ならびに流木捕捉工の設置構造を提供する。【解決手段】砂防堰堤１０の上流側に設置される流木捕捉体１であって、前記流木捕捉体は１、閉断面空間を形成する閉断面形成部材２と、前記閉断面空間内に充填される中詰材３と、前記閉断面空間から下方に突出して前記中詰材３に固定される杭基礎４と、前記閉断面空間から立ち上がり前記中詰材３に固定される流木捕捉柱部材５とからなる。前記流木捕捉柱部材５は、前記閉断面空間内に設けられ前記中詰材３に固定される鞘管６内に脱着可能に挿入して立ち上がる構成である。【選択図】図２
2020105764.tif 000002
【特許請求の範囲】
【請求項１】
砂防堰堤の上流側に設置される流木捕捉体であって、
前記流木捕捉体は、閉断面空間を形成する閉断面形成部材と、前記閉断面空間内に充填される中詰材と、前記閉断面空間から下方に突出して前記中詰材に固定される杭基礎と、前記閉断面空間から立ち上がり前記中詰材に固定される流木捕捉柱部材とからなることを特徴とする、流木捕捉体。
【請求項２】
前記杭基礎と前記流木捕捉柱部材とは、機械式継手で一連に接合されていることを特徴とする、請求項１に記載した流木捕捉体。
【請求項３】
前記流木捕捉柱部材は、前記閉断面空間内に設けられ前記中詰材に固定される鞘管内に脱着可能に挿入して立ち上がる構成であることを特徴とする、請求項１に記載した流木捕捉体。
【請求項４】
前記杭基礎は、前記鞘管の底面に接合されていることを特徴とする、請求項３に記載した流木捕捉体。
【請求項５】
前記杭基礎は、前記鞘管に垂設されるガイドフレームに対して相対移動可能に設けられていることを特徴とする、請求項３に記載した流木捕捉体。
【請求項６】
前記杭基礎における前記突出部分も固定されていることを特徴とする、請求項１〜５のいずれか１項に記載した流木捕捉体。
【請求項７】
砂防堰堤の上流側に設置される流木捕捉体であって、
前記流木捕捉体は、閉断面空間を形成する閉断面形成部材と、前記閉断面空間内に充填される中詰材と、前記閉断面空間を上下に貫通するように立設され前記中詰材に固定される流木捕捉柱部材とからなることを特徴とする、流木捕捉体。
【請求項８】
前記流木捕捉柱部材における前記閉断面空間から下方へ突き出した部分も固定されていることを特徴とする、請求項７に記載した流木捕捉体。
【請求項９】
前記閉断面形成部材は、複数のセグメントを連結して構成されることを特徴とする、請求項１〜８のいずれか１項に記載した流木捕捉体。
【請求項１０】
前記流木捕捉柱部材は、１本又は複数本であることを特徴とする、請求項１〜９のいずれか１項に記載した流木捕捉体。
【請求項１１】
前記閉断面形成部材は、平面的にみて、円形状、小判形状、又は矩形状に形成されていることを特徴とする、請求項１〜１０のいずれか１項に記載した流木捕捉体。
【請求項１２】
前記鞘管は、有底筒状に形成されていることを特徴とする、請求項３〜６及び９〜１１のいずれか１項に記載した流木捕捉体。
【請求項１３】
前記鞘管は、その上端が前記中詰材の表面と略面一に埋め込まれていることを特徴とする、請求項３〜６及び９〜１２のいずれか１項に記載した流木捕捉体。
【請求項１４】
砂防堰堤の上流側に設置される流木捕捉体の構築工法であって、
前記上流側の所定箇所に、閉断面空間を形成する閉断面形成部材を立設すると共に、杭基礎を前記閉断面空間から下方に突出する構成で設置する工程と、
前記杭基礎の上端部に流木捕捉柱部材を接合して前記閉断面空間から立ち上げる工程と、
前記閉断面空間内に中詰材を充填して前記杭基礎と前記流木捕捉柱部材とを固定する工程と、
からなることを特徴とする、流木捕捉体の構築工法。
【請求項１５】
砂防堰堤の上流側に設置される流木捕捉体の構築工法であって、
前記上流側の所定箇所に、閉断面空間を形成する閉断面形成部材を立設すると共に、上端部に有底筒状の鞘管を備えた杭基礎を前記閉断面空間から下方に突出する構成で設置する工程と、
前記閉断面空間内に中詰材を充填して前記杭基礎及び前記鞘管を固定すると共に、前記鞘管内に流木捕捉柱部材を挿入して立ち上げる工程と、
からなることを特徴とする、流木捕捉体の構築工法。
【請求項１６】
砂防堰堤の上流側に設置される流木捕捉体の構築工法であって、
前記上流側の所定箇所に、閉断面空間を形成する閉断面形成部材を立設すると共に、流木捕捉柱部材を前記閉断面空間を上下に貫通する構成で設置する工程と、
前記閉断面空間内に中詰材を充填して前記流木捕捉柱部材を固定する工程と、
からなることを特徴とする、流木捕捉体の構築工法。
【請求項１７】
砂防堰堤の上流側に設置される流木捕捉工の設置構造であって、
前記流木捕捉工は、複数の請求項１〜１３のいずれかの流木捕捉体からなり、前記複数の流木捕捉体は、前記流木捕捉柱部材の間隔が、想定される最大流木長の１／３〜１／２程度に離間し、かつ、想定される流木を捕捉するのに適正な配置に設置されていることを特徴とする、流木捕捉工の設置構造。
【請求項１８】
前記複数の流木捕捉体は、河川横断方向に略直線状の配置に離間して設置されていることを特徴とする、請求項１７に記載した流木捕捉工の設置構造。
【請求項１９】
前記複数の流木捕捉体は、略扇形状又は略逆扇形状を形成する配置に離間して設けられていることを特徴とする、請求項１７に記載した流木捕捉工の設置構造。
【請求項２０】
前記複数の流木捕捉体は、河川横断方向に沿って蛇行する配置に離間して設けられていることを特徴とする、請求項１７に記載した流木捕捉工の設置構造。
【発明の詳細な説明】
【技術分野】
【０００１】
この発明は、砂防、治山等の目的で河川の横断方向に構築される堰堤（以下、「砂防堰堤」と総称する。）に対し、その上流側に設置する流木捕捉体（流木捕捉工）の技術分野に属する。
なお、前記砂防堰堤は、既設、新設を問わない。また、主に不透過型を対象とするが、透過型であっても構わない。
【背景技術】
【０００２】
近年、流木捕捉対策工が進められており、下流側での災害をより効率よく防止するべく、前記砂防堰堤に流木捕捉工（流木捕捉機能）を付設することが要請されている。
しかし、前記砂防堰堤に前記流木捕捉工を後付けで設置する場合、前記砂防堰堤自体の強度が不足するためにコンクリートを増し打ちする必要があり、また、増し打ちしないときは設置できる大きさに限界があるため十分な流木の捕捉能力を得ることが困難である等、種々の問題があった。
そこで近年、前記砂防堰堤の上流側に、前記砂防堰堤とは切り離した構造の流木捕捉工を設置する技術が開示されている（例えば、特許文献１参照）。
【０００３】
前記特許文献１には、同文献１の図２が分かりやすいように、堰堤２の上流側の堆砂域に、前記堰堤２とは切り離した構成の捕捉体（流木捕捉工）３が開示されている。
この捕捉体３は、堰堤２の延在方向に沿って延在する１本の梁部３１と、この梁部３１の延在方向に沿って所定間隔おきに複数個連結された柱部３２と、柱部３２を保持する基礎部３３とが一体的に構成されている。前記基礎部３３は、前記複数の柱部３２をすべて一纏めに立設する構成の広大な規模の連続する底版コンクリートで形成されている（詳しくは、明細書の段落［００２６］参照）。
【０００４】
前記特許文献１によれば、既設の堰堤２に手を加えることなく、捕捉体３を効果的に設置でき、工事にかかるコストや時間を抑えることができる、旨の記載が認められる(明細書の段落［００２１］（発明の効果）参照）。
【先行技術文献】
【特許文献】
【０００５】
【特許文献１】特開２０１７−７２０２０号公報
【発明の概要】
【発明が解決しようとする課題】
【０００６】
しかし、前記特許文献１に係る捕捉体（流木捕捉工）３は、前記複数の柱部３２をすべて一纏め（一体的）に立設するための広大な規模の連続する基礎部３３を構築するので、必然的に多くのコンクリート量が必要となり、コストが嵩む問題があった。コンクリートの山間部への運搬や打設作業を考慮すると、非常に煩雑でもあった。
また、堰堤２の上流側の堆砂域は地盤が緩いため、不同沈下が発生した場合は、この影響が前記基礎部３３の全体に及ぶので、捕捉体（流木捕捉工）３が機能しなくなることが懸念された。
さらに、捕捉体（流木捕捉工）３の補修工事も大掛かりなものとなり煩わしかった。
【０００７】
本発明は、上述した背景技術の課題に鑑みて案出されたものであり、その目的とするところは、堰堤の上流側に、前記堰堤とは切り離した構造で、かつ、隣接した流木捕捉体（の基礎同士）も切り離した構造で実施することにより、使用するコンクリート量を抑制でき、対策の必要な箇所に最適な配置で設置できる、施工性、経済性、及び自在性に優れた流木捕捉体および流木捕捉体の構築工法ならびに流木捕捉工の設置構造を提供することにある。
【課題を解決するための手段】
【０００８】
上記課題を解決するための手段として、請求項１に記載した発明に係る流木捕捉体は、砂防堰堤の上流側に設置される流木捕捉体であって、
前記流木捕捉体は、閉断面空間を形成する閉断面形成部材と、前記閉断面空間内に充填される中詰材と、前記閉断面空間から下方に突出して前記中詰材に固定される杭基礎と、前記閉断面空間から立ち上がり前記中詰材に固定される流木捕捉柱部材とからなることを特徴とする。
【０００９】
請求項２に記載した発明は、請求項１に記載した流木捕捉体において、前記杭基礎と前記流木捕捉柱部材とは、機械式継手で一連に接合されていることを特徴とする。
【００１０】
請求項３に記載した発明は、請求項１に記載した流木捕捉体において、前記流木捕捉柱部材は、前記閉断面空間内に設けられ前記中詰材に固定される鞘管内に脱着可能に挿入して立ち上がる構成であることを特徴とする。
【００１１】
請求項４に記載した発明は、請求項３に記載した流木捕捉体において、前記杭基礎は、前記鞘管の底面に接合されていることを特徴とする。
【００１２】
請求項５に記載した発明は、請求項３に記載した流木捕捉体において、前記杭基礎は、前記鞘管に垂設されるガイドフレームに対して相対移動可能に設けられていることを特徴とする。
【００１３】
請求項６に記載した発明は、請求項１〜５のいずれか１項に記載した流木捕捉体において、前記杭基礎における前記突出部分も固定されていることを特徴とする。
【００１４】
請求項７に記載した発明に係る流木捕捉体は、砂防堰堤の上流側に設置される流木捕捉体であって、前記流木捕捉体は、閉断面空間を形成する閉断面形成部材と、前記閉断面空間内に充填される中詰材と、前記閉断面空間を上下に貫通するように立設され前記中詰材に固定される流木捕捉柱部材とからなることを特徴とする。
【００１５】
請求項８に記載した発明は、請求項７に記載した流木捕捉体において、前記流木捕捉柱部材における前記閉断面空間から下方へ突き出した部分も固定されていることを特徴とする。
【００１６】
請求項９に記載した発明は、請求項１〜８のいずれか１項に記載した流木捕捉体において、前記閉断面形成部材は、複数のセグメントを連結して構成されることを特徴とする。
【００１７】
請求項１０に記載した発明は、請求項１〜９のいずれか１項に記載した流木捕捉体において、前記流木捕捉柱部材は、１本又は複数本であることを特徴とする。
【００１８】
請求項１１に記載した発明は、請求項１〜１０のいずれか１項に記載した流木捕捉体において、前記閉断面形成部材は、平面的にみて、円形状、小判形状、又は矩形状に形成されていることを特徴とする。
【００１９】
請求項１２に記載した発明は、請求項３〜６及び９〜１１のいずれか１項に記載した流木捕捉体において、前記鞘管は、有底筒状に形成されていることを特徴とする。
【００２０】
請求項１３に記載した発明は、請求項３〜６及び９〜１２のいずれか１項に記載した流木捕捉体において、前記鞘管は、その上端が前記中詰材の表面と略面一に埋め込まれていることを特徴とする。
【００２１】
請求項１４に記載した発明に係る流木捕捉体の構築工法は、砂防堰堤の上流側に設置される流木捕捉体の構築工法であって、
前記上流側の所定箇所に、閉断面空間を形成する閉断面形成部材を立設すると共に、杭基礎を前記閉断面空間から下方に突出する構成で設置する工程と、
前記杭基礎の上端部に流木捕捉柱部材を接合して前記閉断面空間から立ち上げる工程と、
前記閉断面空間内に中詰材を充填して前記杭基礎と前記流木捕捉柱部材とを固定する工程と、からなることを特徴とする。
【００２２】
請求項１５に記載した発明に係る流木捕捉体の構築工法は、砂防堰堤の上流側に設置される流木捕捉体の構築工法であって、
前記上流側の所定箇所に、閉断面空間を形成する閉断面形成部材を立設すると共に、上端部に有底筒状の鞘管を備えた杭基礎を前記閉断面空間から下方に突出する構成で設置する工程と、
前記閉断面空間内に中詰材を充填して前記杭基礎と前記鞘管とを固定すると共に、前記鞘管内に流木捕捉柱部材を挿入して立ち上げる工程と、からなることを特徴とする。
【００２３】
請求項１６に記載した発明に係る流木捕捉体の構築工法は、砂防堰堤の上流側に設置される流木捕捉体の構築工法であって、
前記上流側の所定箇所に、閉断面空間を形成する閉断面形成部材を立設すると共に、流木捕捉柱部材を前記閉断面空間を上下に貫通する構成で設置する工程と、
前記閉断面空間内に中詰材を充填して前記流木捕捉柱部材を固定する工程と、からなることを特徴とする。
【００２４】
請求項１７に記載した発明に係る流木捕捉体の設置構造は、砂防堰堤の上流側に設置される流木捕捉工の設置構造であって、
前記流木捕捉工は、複数の請求項１〜１３のいずれかの流木捕捉体からなり、前記複数の流木捕捉体は、前記流木捕捉柱部材の間隔が、想定される最大流木長の１／３〜１／２程度に離間し、かつ、想定される流木を捕捉するのに適正な配置に設置されていることを特徴とする。
【００２５】
請求項１８に記載した発明は、請求項１７に記載した流木捕捉工の設置構造において、前記複数の流木捕捉体は、河川横断方向に略直線状の配置に離間して設置されていることを特徴とする。
【００２６】
請求項１９に記載した発明は、請求項１７に記載した流木捕捉工の設置構造において、前記複数の流木捕捉体は、略扇形状又は略逆扇形状を形成する配置に離間して設けられていることを特徴とする。
【００２７】
請求項２０に記載した発明は、請求項１７に記載した流木捕捉工の設置構造において、前記複数の流木捕捉体は、河川横断方向に沿って蛇行する配置に離間して設けられていることを特徴とする。
【発明の効果】
【００２８】
本発明に係る流木捕捉体および流木捕捉体の構築工法ならびに流木捕捉工の設置構造によれば、以下の作用効果を奏する。
（１）１体あたりの流木捕捉体の径を２．５ｍ程度（２．５ｍ程度以上でも以下でも可）の独立基礎形式で堆砂域（堆砂敷）に設置できるので、砂防堰堤とは切り離した構造で実施できることはもとより、隣接する流木捕捉体同士も切り離した構造で実施でき、従来のような広大な規模の連続する底版コンクリートの基礎部を必要としない。
よって、使用するコンクリート量を抑制でき、対策の必要な箇所に最適な配置で流木捕捉体を複数設置できる（図１、図４、及び図５等参照）等、施工性、経済性、及び自在性に優れた流木捕捉体および流木捕捉体の構築工法ならびに流木捕捉工の設置構造を実現できる。
（２）本発明に係る流木捕捉体は、いわゆる杭基礎構造で実施することにより流水抵抗力を効果的に高めることができるので、堆砂域に設置する閉断面形成部材（閉断面空間）、ひいては流木捕捉体自体のコンパクト化を実現できる。よって、経済性、自在性に優れている。
（３）流木捕捉体の形態は、堆砂域の地形（図５参照）に応じて適宜設計変更可能であり、流木捕捉体の配置は、設置箇所の堆砂域の強度や高さ等の性状に応じて、単配置でも複数配置でもよく、複数配置の場合はランダム配置のほか、河川横断方向に略直線状の配置に離間して設置できるし（図１等参照）、略扇形状（図４Ｂ参照）又は略逆扇形状（図４Ａ参照）を形成する配置に離間して設置できるし、河川横断方向に沿って蛇行する配置に離間して設置することもできる。例えば、堆砂域の地形や設置箇所の堆砂域の性状に応じて図２に係る流木捕捉体と図６に係る流木捕捉体と図１１に係る流木捕捉体とを混在させて実施することもできる。
（４）独立基礎形式で実施しているので、流木捕捉体が沈下又は倒れを生じても、他の流木捕捉柱体に影響を与えることはない。損傷した場合は、損傷した流木捕捉体を補修することで対応できるので、経済的かつ合理的である。
（５）独立基礎形式で実施しているので、隣接する流木捕捉体の構築作業の進捗状況等に一切左右されることなく構築でき、流木捕捉体の設置の順序にも制約がなく、複数年にわたる分割施工や施設の追加、撤去を容易に行うことができる。
（６）例えば、ライナープレートで実施する場合は、土留め、仮締め切りが可能で地下水を有する現場でもポンプアップが容易となりドライ施工も可能で施工性に優れている。
【図面の簡単な説明】
【００２９】
【図１】Ａは、本発明に係る流木捕捉体を堰堤の上流側に設置した状態を概略的に示した平面図であり、Ｂは同立面図である。
【図２】Ａは、本発明に係る流木捕捉体の実施例１を示した立面図であり、Ｂは、同立断面図であり、Ｃは、同平面図である。
【図３】Ａ〜Ｃは、流木捕捉柱部材を鞘管に取り付ける手法を段階的に示した説明図であり、ＤとＥは、Ｃの要部を示した平断面図である。
【図４】Ａ、Ｂは、本発明に係る流木捕捉体を堰堤の上流側に設置した状態のバリエーションを概略的に示した平面図である。
【図５】Ａ、Ｂは、本発明に係る流木捕捉体を堰堤の上流側に設置した状態を上流側からみたバリエーション図である。
【図６】本発明に係る流木捕捉体の実施例２を示した立面図である。
【図７】Ａは、図６に係る流木捕捉体の杭基礎と流木捕捉柱部材との接合部を正面方向から拡大して示した説明図であり、Ｂは、ＡのＢ−Ｂ線矢視断面図である。
【図８】Ａは、図６に係る流木捕捉体の杭基礎と流木捕捉柱部材との接合部を側面方向から拡大して示した説明図であり、Ｂは、ＡのＢ−Ｂ線矢視断面図である。
【図９】図６に係る流木捕捉体の杭基礎の突き出し寸法を長く調整したバリエーション図である。
【図１０】図６に係る流木捕捉体の杭基礎の突き出し寸法を更に長く調整したバリエーション図である。
【図１１】本発明に係る流木捕捉体の実施例３を示した立面図である。
【図１２】本発明に係る流木捕捉体の実施例３のバリエーションを示した立面図である。
【図１３】本発明に係る流木捕捉体のバリエーションを概略的に示した平面図であり、Ｂは、同立面図である。
【図１４】本発明に係る流木捕捉体のバリエーションを概略的に示した平面図であり、Ｂは、同立面図である。
【発明を実施するための形態】
【００３０】
次に、本発明に係る流木捕捉体および流木捕捉体の構築工法ならびに流木捕捉工の設置構造の実施例を図面に基づいて説明する。
【実施例１】
【００３１】
図１Ａ、Ｂは、砂防堰堤１０の上流側に、本発明に係る流木捕捉体１を複数（図示例では直線状に５体）設置して河川の上流側から流れてくる流木を捕捉する実施例を示している。ちなみに図中の符号Ｓは元渓床面を示し、符号Ｔは堆砂面を示している。
【００３２】
前記流木捕捉体１は、図２に示したように、閉断面空間を形成する閉断面形成部材２と、前記閉断面空間内に充填される中詰材３と、前記閉断面空間から下方に突出して中詰材３に固定される杭基礎４と、前記閉断面空間から立ち上がり前記中詰材３に固定される流木捕捉柱部材５とからなる。
【００３３】
前記閉断面形成部材２は、本実施例では、所要の強度・剛性を備えた複数のセグメント１２を連結してなる構成で実施されている。より具体的には、一例として、外径が２．５ｍ程度の円筒形を周方向に略５等分割したに等しい弧状に形成され、その上下左右の端部には内側に突出するフランジが設けられた、高さが５０ｃｍ程度のライナープレート１２で実施されている。
図２に係る閉断面形成部材２は、前記ライナープレート１２を周方向に５体（図２Ｃ参照）、及び軸方向に４体を千鳥状にフランジ接続し、もって直径が２．５ｍ程度、高さが２ｍ程度の円筒形状に構築されている。
【００３４】
なお、前記ライナープレート１２の形状や大きさは前記に限定されず、構造設計に応じて適宜設計変更可能である。前記閉断面形成部材２の形状や大きさも勿論前記に限定されず、構造設計に応じて適宜設計変更可能である。
もっとも、前記閉断面形成部材２を構成する部材は前記ライナープレート１２に限定されず、閉断面空間を形成できる所要の強度、剛性を備えた部材であればよい。例えば、鋼製セグメント、ＰＣセグメント、コルゲートパイプ、鋼板セル、鋼矢板セル、大口径管、又は型枠でも同様に実施できる。前記型枠で実施する場合は、コンクリート３の養生後に撤去（脱型）することができる。
以下に説明する実施例についても同様の技術的思想とする。
【００３５】
前記中詰材３は、本実施例ではコンクリート３で実施しているがこれに限定されず、ソイルセメント、現地発生土（礫・栗石・砕石等の石を含む。）でも同様に実施できる。例えば、前記閉断面空間内の所定の高さまでは前記現地発生土を充填し、前記現地発生土の上にコンクリート３を充填するような混合タイプでも勿論実施できる。
前記杭基礎４は、堆砂域に設置される前記閉断面形成部材２よりも下方へ根入れする構成で実施することにより流水抵抗力を高め、河川の水力に対して合理的かつ効果的に抵抗するために設けられる。よって、閉断面形成部材２のコンパクト化を合理的に実現できる。本実施例では、一例として、外径が３２０ｍｍ程度、高さが２６００ｍｍ程度の丸形鋼管が用いられ、その上半部分が前記閉断面形成部材２（閉断面空間）の内部に位置決めされ、下半部分を堆砂域に根入れする（埋め込む）構成で実施される。
また、本実施例では、前記杭基礎４の上端部に、前記流木捕捉柱部材５を脱着可能に挿入して立設するための鞘管６が溶接等の接合手段で一体的に設けられている。
【００３６】
前記鞘管６は、角形鋼管とベースプレートとからなる金属製の有底筒状で実施されており、前記杭基礎４を堆砂域に根入れして鉛直に立設することで、前記閉断面空間の略中央の上方部に位置決めされる。より具体的には、充填するコンクリート３が鞘管６の内部に入り込まないように前記鞘管６の上端と閉断面形成部材２の上端との高さレベルを略揃えて、前記コンクリート３の表面と略面一に埋め込まれる部位に位置決めされる。
本実施例に係る鞘管６の大きさは一例として、高さが６５０ｍｍ程度、ベースプレートの一辺が７００ｍｍ程度、ベースプレート上面の角形鋼管部の幅が５００ｍｍ程度、肉厚が９ｍｍ程度で実施されている。
【００３７】
前記流木捕捉柱部材５は、金属製の丸形鋼管で実施されており、前記鞘管６に脱着可能に挿入され、鉛直に起立する姿勢で立設される。
本実施例に係る流木捕捉柱部材５の大きさは一例として、頂部に備えた吊り金具を含めた高さが２８００ｍｍ程度、丸形鋼管部の外径が３２０ｍｍ程度、肉厚が１０ｍｍ程度で実施されている。
【００３８】
前記鞘管６内に前記流木捕捉柱部材５を挿入して立設する構成について更に説明すると、本実施例では、図３に例示したように、前記流木捕捉柱部材５は、その外周面に径方向へ対照配置に突き出した２つの鉛直部材１１を備えており、前記鞘管６は、その内壁面の対向する２辺に前記流木捕捉柱部材５の鉛直姿勢を保持するための水平部材１３と、前記水平部材１３に垂設されたストッパ部材１４とを備えている。
前記鉛直部材１１、水平部材１３、及びストッパ部材１４の位置関係は、図３Ａ〜Ｃに段階的に示したように、前記鞘管６内へ前記流木捕捉柱部材５の下端部を鉛直に建て込み、反時計回り（又は時計回り）に回動させると、前記流木捕捉柱部材５の鉛直部材１１、１１が前記ストッパ部材１４、１４に同時に突き当たって引き抜き不能となる構成で実施されている（図３Ｄ、Ｅも参照）。前記鞘管６の内側面と前記流木捕捉柱部材５の外周面との間に形成された隙間には適宜、現地発生土や砂が充填される。
【００３９】
なお、前記鞘管６内に前記流木捕捉柱部材５を挿入して立設する構成はもちろん前記に限定されず、前記鞘管６内に前記流木捕捉柱部材５を安定した姿勢で脱着可能に立設できることを条件に適宜設計変更可能である（例えば、本出願人が既に出願し国際公開されたＷＯ２０１３／０４２７３５等を参照）。
ちなみに、前記鉛直部材１１、水平部材１３、及びストッパ部材１４は、図３以外の図面では図示の便宜上適宜省略していることを念のため特記しておく。
【００４０】
次に、流木捕捉体１の構築工法について説明する。
本発明に係る流木捕捉体１の構築工法は、砂防堰堤１０の上流側に設置される流木捕捉体１の構築工法であって、前記上流側の所定箇所に、閉断面空間を形成する閉断面形成部材２を立設すると共に、上端部に有底筒状の鞘管６を備えた杭基礎４を前記閉断面空間から下方に突出する構成で設置する工程と、前記閉断面空間内に中詰材（コンクリート）３を充填して前記杭基礎４及び前記鞘管６を固定すると共に、前記鞘管６内に流木捕捉柱部材５を挿入して立ち上げる工程とからなる。
【００４１】
前記閉断面形成部材２は、本実施例のようにライナープレート１２で実施する場合、周方向および軸方向にフランジ接続して立体的に組み立てる。なお、図示例に係る閉断面形成部材２は平面的にみて円形状で実施しているが、小判形状（図１３参照）や矩形状で実施することもできる。また、図示例に係る閉断面形成部材２は、２ｍ程度の高さで実施しているので、通常、床掘り（オープンカット）工法で実施されるが、２ｍの高さを超えるような閉断面形成部材２を構築する場合は逆巻き工法で実施することが好ましい。その他、ライナープレート１２以外の部材（前記段落［００３４］参照）で実施する場合は、個々の部材の特性に応じた手法で閉断面形成部材２を構築する。
なお、前記閉断面形成部材２を、前記図１３に示したような平面的にみて小判形状に形成した流木捕捉体５１で実施する場合は、前記閉断面形成部材２の形態を保持するための支保部材１８を必要に応じて適宜設置して行う。
以下に説明する実施例についても同様の技術的思想とする。
【００４２】
前記杭基礎４は、その上端部に鞘管６（の底面）と溶接等の接合手段で一体化されており、前記閉断面形成部材２の構築作業と並行又は相前後して、前記閉断面空間内の略中央部に位置決めし、堆砂域に鉛直姿勢で根入れすると共に前記根入れ部分の周囲にコンクリート７を打設している。この作業の際に前記鞘管６の上端と前記閉断面形成部材２の上端は略揃えておく。
なお、本実施例では、前記根入れ寸法（閉断面空間より下方の突き出し寸法）を１３００ｍｍ程度で実施しているが、杭基礎４を根入れする堆砂域の強度や要求される流木捕捉体１の剛性等の構造設計に応じて適宜増減可能である。
また、本実施例では、前記杭基礎４の立設状態の安定化を図るべくコンクリート７を打設して固定しているが、コンクリート７の代わりにソイルセメント、現地発生土（礫・栗石・砕石等の石を含む。）でも同様に実施できるし、前記コンクリート７を打設しない場合もある。この判断は、杭基礎４を根入れする堆砂域の地盤性状（強度等）や要求される流木捕捉体１の剛性等を適宜勘案して決せられる。
【００４３】
かくして、前記閉断面形成部材２は所望の部位に所望の高さで構築され、その閉断面空間の略中央に杭基礎４が立設され、その上端部に一体的に接合された鞘管６の上端と前記閉断面形成部材２の上端とが略同じ高さレベルに揃えられたところで、次に、前記閉断面空間内にコンクリート３を充填（打設）する。本実施例に係るコンクリート３は、前記閉断面形成部材２（及び前記鞘管６）の天端に到達する程度まで充填する。この充填作業と相前後して、前記鞘管６内に前記流木捕捉柱部材５を挿入して立設する（詳しくは前記段落［００３８］参照）。
なお、前記杭基礎４及び前記鞘管６の立設位置は、平面的にみて前記閉断面空間の略中央位置に限定されず、適宜設計変更可能である。
【００４４】
したがって、上記した流木捕捉体１の構築工法により構築した流木捕捉体１は、１体あたりの径が２．５ｍ程度（２．５ｍ程度以上でも以下でも可）の独立基礎形式で堆砂域に設置できるので、前記砂防堰堤１０とは切り離した構造で実施できることはもとより、隣接する流木捕捉体１、１同士も切り離した構造で実施でき、従来のような広大な規模の連続する底版コンクリートの基礎部を必要としない。
よって、使用するコンクリート量を抑制でき、対策の必要な箇所に最適な配置で流木捕捉体を複数設置できる（図１、図４、及び図５等参照）。
具体的に、流木捕捉体１の形態は、堆砂域の地形９（図５参照）に応じて適宜設計変更可能であり、流木捕捉体１の配置は、設置箇所の堆砂域の強度や高さ等の性状に応じて、単配置でも複数配置でもよく、複数配置の場合はランダム配置のほか、河川横断方向に略直線状の配置に離間して設置できるし（図１、図４Ａ参照）、略扇形状（図４Ｂ参照）又は略逆扇形状（図４Ａ参照）を形成する配置に離間して設置できるし、河川横断方向に沿って蛇行する配置に離間して設置することもできる。
ちなみに、隣接する流木捕捉体１の設置間隔は、前記流木捕捉柱部材５の間隔が、想定される最大流木長の１／３〜１／２程度に離間するように設置することが好ましい。
【実施例２】
【００４５】
図６〜図１０は、実施例２に係る流木捕捉体２１を示している。
この実施例２に係る流木捕捉体２１は、上記実施例１と比し、前記杭基礎４を前記鞘管６に対して相対移動可能な構成で実施することにより、前記杭基礎４の下方への突き出し寸法を調整可能な構成で実施している点が主に相違する。なお、上記実施例１と同様の部材は同一の符号を付してその説明を適宜省略する。
【００４６】
具体的には、実施例２に係る流木捕捉体２１は、前記鞘管６のベースプレートの下面に、上下方向に長い左右一対のガイドフレーム８、８が前記杭基礎（丸形鋼管）４を間に挟む配置で垂設されている。前記一対のガイドフレーム８、８と前記杭基礎４との対応する縦軸ラインには、所定の間隔をあけて芯が一致するボルト通し孔８ａ、４ａが複数（本実施例では４個ずつ）設けられている。そして、前記ボルト通し孔８ａ、４ａに支持ボルト１５を貫通させ、支持ボルト１５の両端部をナット１６、１６で締結する構成とすることにより、前記杭基礎４が前記一対のガイドフレーム８、８に対して相対移動（上下動）可能に設けられている（図６、図９、図１０を対比して参照）。
【００４７】
このように、前記杭基礎４を前記ガイドフレーム８、８、ひいては前記鞘管６に対して相対移動可能な構成で実施する意義、言い換えると、前記杭基礎４の下方への突き出し寸法を調整可能な構成で実施する意義は、主に、現地で床掘りした堆砂域の地盤性状に応じて仮に基礎高さが深いと判明した場合にも現場で速やかに対応させるためにある。
【００４８】
なお、本実施例に係る前記一対のガイドフレーム８、８は、高さ寸法が１２５０ｍｍ程度の断面コ字形（Ｃ形鋼：１２５×６５×６×８ｍｍ）の金属製部材で実施され、前記杭基礎４の大きさは上記実施例１と同一の外径が３２０ｍｍ程度、高さが２６００ｍｍ程度の丸形鋼管で実施されているが、前記寸法はあくまでも一例であり、適宜設計変更可能である。
また、本実施例に係る前記ボルト通し孔４ａ、８ａは、一例として２５０ｍｍの間隔をあけて等間隔に４個ずつ設けて実施しているがこれに限定されず、構造設計に応じて適宜設計変更可能である。
さらに、前記ボルト通し孔４ａ、８ａに通して前記杭基礎４を支持する支持ボルト１５は、安定性のためには本実施例のように上下２段配置で実施することが好ましいが、１段（１本）でも３段（３本）以上でも実施することは可能である。
【００４９】
この実施例２に係る流木捕捉体２１の構築工法は、前記杭基礎４を根入れする際に前記突き出し寸法を調整する工程が加わる以外は、上記実施例１と変わりはない。よって、上記実施例１とほぼ同様の手順で行われる（前記段落［００４０］〜［００４３］参照）。また、コンクリート３を充填した後の流木捕捉体２１は上記実施例１に係る流木捕捉体１と外形上（外観上）違いがない。
したがって、この実施例２に係る流木捕捉体２１の構築工法により構築した流木捕捉体２１は、上記実施例１に係る流木捕捉体１と外形上違いがないので、上記実施例１と同様の作用効果を奏する（詳しくは前記［００４４］参照）。
なお、前記中詰材３がコンクリート３に限定されないこと、前記杭基礎４及び前記鞘管６の立設位置が平面的にみて前記閉断面空間の略中央位置に限定されないことも上記実施例１と同様である。
【実施例３】
【００５０】
図１１は、実施例３に係る流木捕捉体３１を示している。
この実施例３に係る流木捕捉体３１は、上記実施例１、２と比し、鞘管６を設けることなく、前記杭基礎４と前記流木捕捉柱部材５とを直接、機械式継手１７により一連にボルト接合している点が相違する。その他、閉断面形成部材２の高さを、ライナープレート１２の段数を３段に減らして１．５ｍ程度の高さで実施している点も相違する。なお、上記実施例１、２と同様の部材は同一の符号を付してその説明を適宜省略する。
【００５１】
具体的に、この実施例３に係る流木捕捉体３１は、閉断面空間を形成する閉断面形成部材２と、前記閉断面空間内に充填されるコンクリート（中詰材）３と、前記閉断面空間から下方に突出して前記コンクリート（中詰材）３に固定される杭基礎４と、前記閉断面空間から立ち上がり前記コンクリート（中詰材）３に固定される流木捕捉柱部材５とからなり、前記杭基礎４と前記流木捕捉柱部材５とは、機械式継手１７で一連に接合されている。
【００５２】
上記構成の流木捕捉体３１の構築工法は、砂防堰堤１０の上流側に設置される流木捕捉体３１の構築工法であって、前記上流側の所定箇所に、閉断面空間を形成する閉断面形成部材２を立設すると共に、前記杭基礎４と一体化した前記流木捕捉柱部材５を、前記閉断面空間を上下に貫通する構成で設置する工程と、前記閉断面空間内にコンクリート（中詰材）３を充填して前記杭基礎４と前記流木捕捉柱部材５を固定する工程とからなる。
【００５３】
なお、前記杭基礎４を設置した後、前記杭基礎４の上端部に流木捕捉柱部材５を接合する作業を行ってもよい。この場合の流木捕捉体４１の構築工法は、前記上流側の所定箇所に、閉断面空間を形成する閉断面形成部材２を立設すると共に、杭基礎４を前記閉断面空間から下方に突出する構成で設置する工程と、前記杭基礎４の上端部に流木捕捉柱部材５を接合して前記閉断面空間から立ち上げる工程と、前記閉断面空間内にコンクリート３を充填して前記杭基礎４と前記流木捕捉柱部材５とを固定する工程とからなる。
【００５４】
したがって、この実施例３に係る流木捕捉体３１の構築工法により構築した流木捕捉体３１は、上記実施例１、２に係る流木捕捉体１、２１と外形上、高さ寸法が５０ｃｍ程度低くなった以外は違いがないので、上記実施例１、２と同様の作用効果を奏する（詳しくは前記［００４４］参照）。
なお、図１２に示したように、前記流木捕捉柱部材５を長尺化した一本物とし、前記杭基礎４の役割を兼ねる構成で実施することもできる。この場合、前記閉断面空間を形成する閉断面形成部材２を立設すると共に、前記杭基礎４を兼ねる前記長尺化した流木捕捉柱部材５を、前記閉断面空間を上下に貫通する構成で設置する工程と、前記閉断面空間内にコンクリート３を充填して前記長尺化した流木捕捉柱部材５を固定する工程とからなる。
なお、前記中詰材３がコンクリート３に限定されないこと、前記杭基礎４や前記流木捕捉柱部材５の立設位置が平面的にみて前記閉断面空間の略中央位置に限定されないことも上記実施例１と同様である。
【００５５】
ところで、上記した流木捕捉体３１の構築工法によれば、コンクリート３を充填する前に予め、前記流木捕捉柱部材５を所定の部位に位置決め固定しておくことができるので、閉断面空間内へのコンクリート３の打設作業を１回で完了させることができる。
言い換えると、前記コンクリート３の打設作業を２回に分けて行う場合は、前記流木捕捉柱部材５を予め位置決め固定しておく必要はなく、前記杭基礎４と流木捕捉柱部材５とは分離した状態で実施することもできる。
この場合、前記閉断面形成部材２を前記杭基礎４とを所定の部位に設置した後、前記閉断面空間内の所定の高さまで第１回目のコンクリートの充填作業を行い、前記コンクリートの養生後、養生したコンクリートの上面に流木捕捉柱部材５を鉛直方向に立ち上げて前記閉断面空間の天端まで第２回目のコンクリートの充填作業を行う。
【００５６】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために言及する。
【００５７】
例えば、図１４に示した流木捕捉体６１のように、閉断面空間の平面積をより広く形成して閉断面空間内に２本の流木捕捉柱部材５を設けて実施することもできる。
この流木捕捉体６１に係る閉断面形成部材２は、一例として、外径が４．５ｍ程度の円筒形を周方向に略９等分割したに等しい弧状に形成され、その上下左右の端部には内側に突出するフランジが設けられた、高さが５０ｃｍ程度のライナープレート１２で実施されている。図示例に係る閉断面形成部材２は、前記ライナープレート１２を周方向に９体、及び軸方向に４体を千鳥状にフランジ接続し、もって直径が４．５ｍ程度、高さが２ｍ程度の円筒形状に構築されている。前記鞘管６は、閉断面空間内に、想定される最大流木長の１／３〜１／２程度に離間して２つ設置されている。
なお、本実施例３では、前記２つの鞘管６、６にそれぞれ鉛直方向に長い流木捕捉柱部材５、５を挿入して実施しているが、これに限定されない。例えば、図示は省略するが、前記２つの鞘管６、６を河川の流れ方向に、かつ適宜傾けて設け、河川の流れ方向へ開脚する構成の側面視Ａ字形状（いわゆるＡ型スリットダム）、又は入字形状等の流木捕捉柱部材の脚部を挿入して立設して実施することもできる。
【符号の説明】
【００５８】
１    流木捕捉体
２    閉断面形成部材
３    中詰材（コンクリート）
４    杭基礎
４ａ  ボルト通し孔
５    流木捕捉柱部材
６    鞘管
７    コンクリート
８    ガイドフレーム
８ａ  ボルト通し孔
９    地形
１０    砂防堰堤
１１    鉛直部材
１２    ライナープレート（セグメント）
１３    水平部材
１４    ストッパ部材
１５    支持ボルト
１６    ナット
１７    機械式継手
１８    支保部材
２１    流木捕捉体
３１    流木捕捉体
４１    流木捕捉体
５１    流木捕捉体
６１    流木捕捉体
Ｓ    元渓床面
Ｔ    堆砂面
【図１】
2020105764.tif 000003
【図２】
2020105764.tif 000004
【図３】
2020105764.tif 000005
【図４】
2020105764.tif 000006
【図５】
2020105764.tif 000007
【図６】
2020105764.tif 000008
【図７】
2020105764.tif 000009
【図８】
2020105764.tif 000010
【図９】
2020105764.tif 000011
【図１０】
2020105764.tif 000012
【図１１】
2020105764.tif 000013
【図１２】
2020105764.tif 000014
【図１３】
2020105764.tif 000015
【図１４】
2020105764.tif 000016